(57)【特許請求の範囲】
【請求項１】
バイオリン本体の後部側をカバーリングするバイオリン包皮カバー体と、該カバー体をバイオリン本体に取付けるための係止手段と、バイオリン包皮カバー体の横側面に両端を連結して奏者の首後面を囲繞しながら奏者のあごと左肩間にバイオリン本体を保持固定するバンド体とより構成し、
バイオリン包皮カバー体はあご当て部を含むバイオリン本体の後端部を包皮するような半袋体に形成し、
バイオリン包皮カバー体をバイオリン本体に取付けるための係止手段はバイオリン本体中央部側板の凹部の開口角部に係合自在とした袋状の係止具とし、
しかも、奏者にバイオリン本体を保持するバンド体は奏者の首後面を囲繞可能な長さの帯状に構成すると共に、その両端は係止具に隣接したバイオリン包皮カバー体の側面位置に連結部材としての面ファスナーを介して取外し自在に連結したことを特徴とするバイオリン支持カバー体構造。
【発明の詳細な説明】
【技術分野】
【０００１】
この発明は、あごと左肩間でバイオリン本体を密着保持するバンド体を設けたバイオリン支持カバー体構造に関する。
【背景技術】
【０００２】
従来、バイオリンは、略８の字型のバイオリン本体とその先端に突設し、本体との間に弦を張ったネックといわれる竿体とよりなり、バイオリン本体の後端部をあごと左肩の間に挟持してバイオリンを保持し４本の左手指で弦を押さえて右手で弓を操作して弦を擦りながらバイオリン独特の音を生成するように構成されている。
【０００３】
このようにバイオリンは基本的にバイオリン本体の後端部をあごと左肩との間に挟持して演奏するものであり、左手で支持しないであごと左肩で確実に保持することにより、４本の左手指を自由に操って演奏できるように構成されている。
【０００４】
例えば、特許文献１には、バイオリンのトレーニング器が開示されている。
【先行技術文献】
【特許文献】
【０００５】
【特許文献１】特開２００８−４０４３９号公報
【発明の概要】
【発明が解決しようとする課題】
【０００６】
ところが、初心者はあごと左肩間でバイオリン本体の後端部を挟持する姿勢を作ることに困難をともなうためどうしても本来弦を押さえる筈の左手指、特に親指と人差し指の環状姿勢でネック外周面を棒状に握り、しかも、左手首が曲がってネックを掌で支えようとし勝ちである。
【０００７】
このように左手による支持状態でバイオリンを演奏すると４本の指が指板上で円滑に動作しにくくなり正しい演奏が不可能となりバイオリン演奏の上達が望めないという欠点を有していた。
【０００８】
また、初心者、特に幼児の場合はバイオリン本体を体の正面側に移動させ、できるだけ楽な姿勢で練習をしようとする傾向が見られた。
【０００９】
この発明は、バイオリン本体の後部側をカバーリングするバイオリン包皮カバー体と奏者の首後面を囲繞するバンド体とを連結して奏者のあごと左肩間でバイオリン本体を容易に、かつ確実に保持し、左手の４本の指が演奏に支障なく自由に活動できるようにしたバイオリン支持カバー体構造を提供せんとする。
【課題を解決するための手段】
【００１０】
この発明は、バイオリン本体の後部側をカバーリングするバイオリン包皮カバー体と、該カバー体をバイオリン本体に取付けるための係止手段と、バイオリン包皮カバー体の横側面に両端を連結して奏者の首後面を囲繞しながら奏者のあごと左肩間にバイオリン本体を保持固定するバンド体とより構成し、バイオリン包皮カバー体はあご当て部を含むバイオリン本体の後端部を包皮するような半袋体に形成し、バイオリン包皮カバー体をバイオリン本体に取付けるための係止手段はバイオリン本体中央部側板の凹部の開口角部に係合自在とした袋状の係止具とし、しかも、奏者にバイオリン本体を保持するバンド体は奏者の首後面を囲繞可能な長さの帯状に構成すると共に、その両端は係止具に隣接したバイオリン包皮カバー体の側面位置に連結部材としての面ファスナーを介して取外し自在に連結したバイオリン支持カバー体構造に関する。
【発明の効果】
【００１８】
請求項1の発明によれば、バイオリン本体の後部側をカバーリングするバイオリン包皮カバー体と、該カバー体をバイオリン本体に取付けるための係止手段と、バイオリン包皮カバー体の横側面に両端を連結して奏者の首後面を囲繞しながら奏者のあごと左肩間にバイオリン本体を保持固定するバンド体とより構成し、バイオリン包皮カバー体はあご当て部を含むバイオリン本体の後端部を包皮するような半袋体に形成され、バイオリン包皮カバー体をバイオリン本体に取付けるための係止手段はバイオリン本体中央部側板の凹部の開口角部に係合自在とした袋状の係止具とし、しかも、奏者にバイオリン本体を保持するバンド体は奏者の首後面を囲繞可能な長さの帯状に構成すると共に、その両端は係止具に隣接したバイオリン包皮カバー体の側面位置に連結部材としての面ファスナーを介して取外し自在に連結したので、幼少期の奏者でもあごと左肩間でバイオリン本体を確実に密着固定することができることになり、長時間の演奏でも苦痛がなく、しかも正しい演奏姿勢を身に付けることができる。
また、凹部の開口角部に係合自在となり重量のあるバイオリンでも確実に首まわりで支持することができる効果がある。 さらに、バイオリン包皮カバー体でバイオリン本体を一体に包むことができることになり確実にバイオリンを支持することが可能となり、更にはバイオリン本体の後端部の外側面の保護機能も果たすことができ、しかも、あご当て部をカバーリングするあご当てカバー体がバイオリン包皮カバー体に設けられているためあご当てがあご皮膚面に直接に接触せず演奏時に汗で滑ったり挟持力が減殺することを防止できる効果がある。
【図面の簡単な説明】
【００２６】
【図１】（ａ）はバイオリンを示す斜視図、（ｂ）はバイオリン支持カバー体構造の装着状態を示す参考説明図
【図２】バイオリン支持カバー体構造を帯状体とバンド体とにより構成した参考説明図
【図３】（ａ）は他の形態の参考説明図、（ｂ）は図３（ａ）の裏面を示す説明図
【図４】（ａ）は本実施形態の説明図、（ｂ）は一方のバンド体の係合を外したバンド体の裏面を示す説明図
【図５】図２のＩ−Ｉ線断面説明図
【図６】図４（ａ）のＩＩ−ＩＩ線断面説明図
【図７】本発明のバイオリン支持カバー体構造の使用状態を示す説明図
【発明を実施するための形態】
【００２７】
この発明の実施形態を図面に基づき詳説する。
【００２８】
図１（ａ）はバイオリンを示す斜視図であり、図１（ｂ）はバイオリン支持カバー体構造の装着状態を示す参考説明図、図２はバイオリン支持カバー体構造を帯状体とバンド体とにより構成した参考説明図、図３（ａ）は他の形態の参考説明図、図３（ｂ）は図３（ａ）の裏面を示す説明図、図４（ａ）は本実施形態の説明図、図４（ｂ）は一方のバンド体の係合を外したバンド体の裏面を示す説明図、図５は図２のＩ−Ｉ線断面説明図、図６は図４（ａ）のＩＩ−ＩＩ線断面説明図、図７は本発明のバイオリン支持カバー体構造の使用状態を示す説明図である。
【００２９】
図１、図７に示すようにバイオリンＡは、基本的には中央部の両側板を凹部に形成した略８の字外型のバイオリン本体Ｂと、本体先端部から突設して弦をバイオリン本体との間に張るために使用されるネックといわれる竿体Ｂ４とからなり、演奏に際してはバイオリン本体Ｂの後端部Ｂ１の左隅部Ｂ２をあごＪと左肩ＳＬとの間に挟持してバイオリン本体Ｂを確実にあごＪで保持しながら４本の左手指Ｎで弦Ｃを押さえ右手Ｌで弓Ｉを操作しながら弦を擦ってバイオリン独特の音を発生するように構成されている。
【００３０】
このようにバイオリンＡは、基本的にバイオリン本体Ｂの後端部Ｂ１の左隅部Ｂ２をあごＪと左肩ＳＬとの間に挟み演奏するように構成されている。しかも、バイオリン本体Ｂの後端部Ｂ１の左隅部Ｂ２表板には左肩ＳＬとの間にバイオリン後端部を挟持するためのあご当て部Ｄが湾曲凹状に設けられている。
【００３１】
本発明の要旨は、かかるバイオリンＡにおいて、あごＪと左肩ＳＬとの間にバイオリン本体Ｂの後端部Ｂ１を確実に挟持するための補助具として、バイオリン本体Ｂの後部側Ｂ３をカバーリングするバイオリン包皮カバー体２と、該バイオリン包皮カバー体２をバイオリン本体Ｂに取付けるための係止手段３と、バイオリン本体Ｂの横側板Ｅ又はバイオリン包皮カバー体２の横側面４ａに一端又は両端を固定しながら奏者の首Ｋ後面を囲繞して奏者ＭのあごＪと左肩ＳＬ間にバイオリン本体Ｂを保持するバンド体５とより構成したバイオリン支持カバー体構造１に関する。
【００３２】
バイオリン包皮カバー体２は、バイオリン本体に係止するための係止手段３を有しており、バイオリン本体Ｂの横側板Ｅ又はバイオリン包皮カバー体２の横側面４ａにバンド体５の一端又は両端を連結しており、バンド体５は奏者Ｍの首Ｋ後面を囲繞することにより奏者ＭのあごＪと左肩ＳＬ間でバイオリン本体Ｂを密着保持しやすいように構成している。
【００３３】
すなわち、本発明は基本的にバイオリン包皮カバー体２とバンド体５とよりなる。バイオリン包皮カバー体２は、図１（ｂ）、図２、図５の参考図に示すようにバイオリン本体Ｂの後端部周側板Ｅ１を包皮する形状の帯状体１４に構成されている。
【００３４】
バイオリン包皮カバー体２は帯状体１４に形成され、バイオリン本体Ｂの後部の弯曲側板に沿って囲繞するように構成し、バイオリン本体Ｂ後部を一体に包皮している。
【００３５】
また、帯状体１４としてのバイオリン包皮カバー体２をバイオリン本体Ｂと確実に取付け固定するために係止手段３を介在する。
【００３６】
すなわち、係止手段３は、図１（ｂ）、図２に示すようにバイオリン本体Ｂは中央部の横側板Ｅを凹部Ｇに形成し、凹部Ｇの開口角部Ｈは鋭角突出状となっている。かかる開口角部Ｈに係合自在としたフック状又は環状の係止具１５ａ，１５ｂをバイオリン包皮カバー体２としての帯状体１４の両端に設けている。なお、係止具１５ａ，１５ｂは開口角部Ｈに密着して囲繞する袋状としてもよい。
【００３７】
また、図２中のバンド体５の両端部５ａ，５ｂには、輪っか部１６を設け、帯状体１４に設けたボタン部１７と係合自在としている。
【００３８】
かかるバイオリン包皮カバー体２としての帯状体１４には、後述する他の実施形態である図３（ａ）、（ｂ）に示すように、バンド体５両端部５ａ，５ｂを係止具１５ａ，１５ｂを介してバイオリン本体Ｂ側板の凹部Ｇの開口角部Ｈに係合することにより直接にバンド体５をバイオリン本体Ｂに係合自在に連結してもよい。
【００３９】
また、バイオリン包皮カバー体２としての帯状体１４には、後述する本実施形態である図４（ｂ）に示すように、面ファスナー等の連結部材１３ａ，１３ｂを介してバンド体５の両端部５ａ，５ｂ又は一端を取外し自在に連結してもよい。
【００４０】
バンド体５は奏者Ｍの首Ｋ後面を囲繞するように帯状で一定長さに構成されている。
【００４１】
このように、バンド体５は、図１（ｂ）、図２に示すようにバイオリン包皮カバー体２としての帯状体１４にボタン部１７を介して連結して該カバー体２を介してバイオリン本体Ｂを奏者Ｍの首Ｋに吊下係止状態とする場合と、図３（ａ）、（ｂ）に示すように、バイオリン本体Ｂ側板の凹部Ｇの開口角部Ｈに係止具１５ａ，１５ｂを介して直接に係合してバイオリン本体Ｂを奏者Ｍの首Ｋに吊下係止する場合と、更に、図４（ｂ）に示すように帯状体１４に連結部材１３ａ，１３ｂを介して連結して該カバー体を介してバイオリン本体Ｂを奏者Ｍの首Ｋに吊下係止状態とする場合とがある。
【００４２】
また、バイオリン包皮カバー体２は、図３（ａ）、（ｂ）に示すように、バイオリン本体の後部側裏板Ｆ３を包皮する形状の帯状体１８に構成する場合もある。
【００４３】
すなわち、バイオリン包皮カバー体２は帯状体１８に形成され、バイオリン本体Ｂの後部側裏板Ｆ３に沿って左右の凹部Ｇの開口角部Ｈ，Ｈ間に架設するように構成し、バイオリン本体Ｂの裏板Ｆ２の一部を包皮している。
【００４４】
また、帯状体１８としてのバイオリン包皮カバー体２をバイオリン本体Ｂと確実に取付け固定するために係止手段３を介在する。
【００４５】
すなわち、図３（ａ）、（ｂ）に示すように、上述した帯状体１４と同様に、開口角部Ｈに係合自在としたフック状又は環状の係止具１５ａ，１５ｂをバイオリン包皮カバー体２としての帯状体１８の両端部１９ａ，１９ｂに設けている。なお、係止具１５ａ，１５ｂは開口角部Ｈに密着して囲繞する袋状としてもよい。
【００４６】
かかるバイオリン包皮カバー体２としての帯状体１８の両端部１９ａ，１９ｂに設けた係止具１５ａ，１５ｂには、図３（ａ）、（ｂ）に示すように、バンド体５の両端部５ａ，５ｂが連結されている。
【００４７】
すなわち、係止具１５ａ，１５ｂには各々、帯状体１８の両端部１９ａ，１９ｂとバンド体５の両端部５ａ，５ｂとが連結されている。
【００４８】
また、本実施形態として、バイオリン包皮カバー体２は、図４（ａ）、（ｂ）、図６に示すように、あご当て部Ｄを含むバイオリン本体Ｂの後端部Ｂ１を包皮するような半袋体４に形成する場合もある。
【００４９】
バイオリン包皮カバー体２は、バイオリン本体Ｂの後端部Ｂ１、すなわち表板Ｆ１と裏板Ｆ２よりなる半円弧状箱体部分を包皮する半袋体４に形成している。
【００５０】
バイオリン包皮カバー体２としての半袋体４は、一側方を開口し、上側面をバイオリン本体Ｂ後端表板Ｆ１に設けたあご当て部Ｄをカバーリングするような略半円弧状に形成し、下側面をバイオリン本体Ｂの略３分の１後部裏板Ｆ２をカバーする略半円形状に形成し、半周側面をバイオリン本体Ｂの横側板Ｅと略同一幅員に構成している。
【００５１】
かかる半袋体４によりバイオリン本体Ｂの略後半部となる後部側Ｂ３を包皮してバイオリン包皮カバー体２をバイオリン本体Ｂに一体連結状態とする。
【００５２】
なお、あご当て部Ｄをカバーリングすることになる半袋体４の該部分は、半袋体４と一体となってあご当てカバー体として機能すると共に、あご当てカバー体とあご当て部Ｄとの間に弾性を有する図示しない緩衝材を挿入、又はあご当てカバー体の裏面に緩衝材を連結して、あごの痛み防止を図ることができる。
【００５３】
また、バイオリン本体Ｂの後部側Ｂ３の左隅部Ｂ２の横側板Ｅには、奏者Ｍの首Ｋ前側と当接するあご当て部Ｄを取り付けるための図示しない金具が配設されるが、この金具をカバーリングすることになる半袋体４の内側の該部分に弾性を有する図示しない緩衝材を挿入、又は緩衝材を一体に連結して、首Ｋの痛み防止を図ることができる。
【００５４】
更に、バイオリン本体Ｂの後部側裏板Ｆ３であって奏者Ｍの左肩ＳＬと当接する部分をカバーリングすることになる半袋体４の内側の該部分に弾性を有する図示しない緩衝材や滑り止め部材を挿入、又は表面に貼着、又は緩衝材等を一体に連結して、左肩ＳＬの痛みやバイオリンＡの滑り防止を図ることができる。
【００５５】
また、半袋体４としてのバイオリン包皮カバー体２をバイオリン本体Ｂと確実に取付け固定するために係止手段３を介在する。
【００５６】
すなわち、図４（ａ）、（ｂ）、図６に示すように、開口角部Ｈに係合自在とした袋状の係止具１１をバイオリン包皮カバー体２としての半袋体両端部１２ａ，１２ｂに設けている。なお、係止具１１は帯状体１４，１８と同様のフック状又は環状としてもよい。
【００５７】
かかるバイオリン包皮カバー体２としての半袋体４の両端部１２ａ，１２ｂには、図４（ｂ）に示すように、面ファスナー等の連結部材１３ａ，１３ｂを介してバンド体５の両端部５ａ，５ｂ又は一端を取外し自在に連結されている。
【００５８】
また、バイオリン包皮カバー体２とバンド体５との連結は、上述した帯状体１４と同様に、図２で示すようにバンド体５の両端部５ａ，５ｂに輪っか部１６を設け、帯状体１４（この場合は半袋体４）に設けたボタン部１７と係合自在としてもよい。
【００５９】
また、バイオリン包皮カバー体２は、バイオリン本体Ｂの後部側裏板Ｆ３を包皮する帯状体１８を有さないものとした場合の図３（ａ）に示すように、帯状体１４，１８も半袋体４も用いることなくバンド体５のみを係止具１５ａ，１５ｂを介してバイオリン本体側板の凹部Ｇの開口角部Ｈに係合連結してもよい。
【００６０】
上記したように、本発明のバイオリン支持カバー体構造１は、バイオリン本体Ｂを奏者Ｍの首Ｋに吊下固定して奏者のあごＪと左肩ＳＬの間で容易に、かつ確実に挟持して演奏することができるような補助具として機能する。
【００６１】
すなわち、上記した各実施形態構造を模式的にまとめて説明すると、
【００６２】
１）図１（ｂ）、図２、図５に示すように、バイオリン本体Ｂの後端部周側板Ｅ１を包皮するためのバイオリン包皮カバー体２としての帯状体１４とバンド体５とを一体に連結した構造。
【００６３】
２）図１（ｂ）に示すように、帯状体１４の両端は、係止具１５ａ，１５ｂを介してバイオリン本体Ｂ側板の凹部Ｇの開口角部Ｈに係合自在とした構造。
【００６４】
３）図２に示すようにバンド体５の両端部５ａ，５ｂには、輪っか部１６を設け、帯状体１４に設けたボタン部１７と係合自在に連結した構造。
【００６５】
４）図３（ａ）、（ｂ）に示すように、帯状体１８の両端部１９ａ，１９ｂに設けた係止具１５ａ，１５ｂに、バンド体５の両端部５ａ，５ｂを連結した構造。
【００６６】
５）図４（ｂ）に示すように、バンド体５の両端部５ａ，５ｂは、半袋体４（この場合は帯状体１４）に面ファスナー等の連結部材１３ａ，１３ｂを介して取外し自在に連結した構造。
【００６７】
６）図３（ａ）、（ｂ）に示すように、バイオリン包皮カバー体２は、後端部周側板Ｅ１を包皮する帯状体１４以外に、後部側裏板Ｆ３を包皮する帯状体１８により構成し、バイオリン本体Ｂ側板の凹部Ｇの開口角部Ｈに係合自在とした構造。
【００６８】
７）図４（ａ）、（ｂ）に示すように、バイオリン包皮カバー体２は、後端部周側板Ｅ１を包皮する帯状体１４以外に半袋体４により構成し、バイオリン本体Ｂ側板の凹部Ｇの開口角部Ｈに係合自在とした構造。
【００６９】
８）図３（ａ）に示すように、帯状体１４，１８も半袋体４も用いることなくバンド体５のみを係止具１５ａ，１５ｂを介してバイオリン本体側板の凹部Ｇの開口角部Ｈに係合連結する構造。
【００７０】
この発明のバイオリン支持カバー体構造１の使用形態について、バイオリン包皮カバー体２として半袋体４を用いた場合を例として図７に示して説明すると、奏者Ｍは、予めバイオリン本体Ｂに本発明のバイオリン支持カバー体構造１を装着する。
【００７１】
すなわち、バイオリン本体Ｂの後端部Ｂ１にバイオリン包皮カバー体２を装着するものであり、半袋体４の開口部より挿入してバイオリン本体Ｂの後端部Ｂ１を包皮するようにして、この半袋体４を係止手段３としての環状の係止具１１をバイオリン本体Ｂ側板の開口角部Ｈに係止し、次いで、バンド体５両端を半袋体４あるいはバイオリン本体Ｂ側板の凹部Ｇの開口角部Ｈに連結し、バンド体５を首Ｋ後面に掛けて、同時に半袋体４と一体のあご当てカバー体をあごＪの下に敷いて、あごＪと左肩ＳＬとの間にバイオリン本体Ｂの後端部Ｂ１を挟持し、この姿勢で演奏する。
【００７２】
バイオリン本体Ｂは、このバンド体５によって首Ｋに吊下した状態となるため幼児でも容易にあごＪと左肩ＳＬとの間でバイオリン本体Ｂの挟持が可能となる。
【００７３】
バイオリン包皮カバー体２が帯状体１４，１８の場合には、両端の係止具１５ａ，１５ｂを介してバイオリン本体Ｂ側板の凹部Ｇの開口角部Ｈに帯状体１４，１８を係合装着し、この帯状体１４，１８に、又は係止具１５ａ，１５ｂに直接バンド体５両端を連結して上記したと同様にバンド体５を奏者Ｍの首Ｋの後面に掛けてバイオリン本体Ｂを保持する。
【００７４】
なお、バイオリン包皮カバー体２を用いることなく、バンド体５の両端に設けた環状の係止具１５ａ，１５ｂをバイオリン本体Ｂ側板の凹部Ｇの開口角部Ｈに係合してバンド体５をバイオリン本体Ｂに直接に連結してバイオリン本体Ｂを奏者Ｍの首Ｋに吊下保持することも可能である。
【００７５】
以上、説明したように本実施形態に係るバイオリン支持カバー体構造１は構成されており、バイオリン本体Ｂの後部側Ｂ３をカバーリングするバイオリン包皮カバー体２と、該カバー体２をバイオリン本体Ｂに取付けるための係止手段３と、バイオリン本体Ｂの横側板Ｅ又はバイオリン包皮カバー体２の横側面４ａに一端又は両端を固定しながら奏者Ｍの首Ｋ後面を囲繞して奏者ＭのあごＪと左肩ＳＬ間にバイオリン本体Ｂを保持するバンド体５とより構成したバイオリン支持カバー体構造１としたことにより、幼少期の奏者でもあごと左肩間でバイオリン本体Ｂを確実に密着固定することができることになり、長時間の演奏でも苦痛がなく、しかも正しい演奏姿勢を身に付けることができる効果がある。
【００７６】
また、バイオリン包皮カバー体２はバイオリン本体Ｂの後端部周側板Ｅ１を包皮する形状の帯状体１８に構成されていることにより、バイオリン包皮カバー体２がバイオリン本体Ｂの後端部周側面を包皮することになるため簡単な構造で確実にバイオリンＡを支持することが可能となり、また、バイオリン本体Ｂの表板Ｆ１や裏板Ｆ２をカバーしない構造であるため中空共鳴胴からの発生音に干渉せず正しい音の発生に支障とならないという効果がある。
【００７７】
また、バイオリン包皮カバー体２はバイオリン本体Ｂの後部側裏板Ｆ３を包皮する形状の帯状体１８に構成されていることにより、バイオリン包皮カバー体２がバイオリン本体Ｂの後部側裏板面を包皮することになるため簡単な構造で確実にバイオリンＡを支持することが可能となる。
【００７８】
また、バイオリン包皮カバー体２はあご当て部Ｄを含むバイオリン本体Ｂの後端部を包皮するような半袋体４に形成されていることにより、バイオリン包皮カバー体２でバイオリン本体Ｂを一体に包むことができることになり確実にバイオリンＡを支持することが可能となり、更にはバイオリン本体Ｂの後端部の外側面の保護機能も果たすことができ、しかも、あご当て部Ｄをカバーリングするあご当てカバー体がバイオリン包皮カバー体に設けられているため、あご当て部Ｄがあご皮膚面に直接に接触せず演奏時に汗で滑ったり挟持力が減殺することを防止できる効果がある。
【００７９】
バイオリン包皮カバー体２をバイオリン本体Ｂに取付けるための係止手段３はバイオリン本体Ｂ中央部側板の凹部Ｇの開口角部Ｈに係合自在とした袋状またはフック状または環状の係止具に構成したことにより、凹部Ｇの開口角部Ｈに係合自在となり重量のあるバイオリンＡでも確実に首Ｋまわりで支持することができる効果がある。
【００８０】
また、バンド体５は奏者Ｍの首Ｋ後面を囲繞可能な長さと帯状に構成すると共に、バンド体５の両端部５ａ，５ｂはバイオリン本体Ｂ中央部側板の凹部Ｇの開口角部Ｈに係合自在に構成されていることにより、バンド体５の両端部５ａ，５ｂをバイオリン本体Ｂに確実に係合させることができるため、あごＪと左肩ＳＬ間でバイオリン本体Ｂを確実に密着固定することができることになり、特に、側面の凹部Ｇの開口角部Ｈに係合する構造であるため、バンド体５の両端部５ａ，５ｂの係合は更に強固になり重量のあるバイオリンＡでも確実に首Ｋまわりで支持することができる効果がある。
【００８１】
また、バンド体５は奏者Ｍの首Ｋ後面を囲繞可能な長さと帯状に構成すると共に、バンド体５の一端又は両端をバイオリン包皮カバー体２の側面又は端部に連結したことにより、バンド体５の一端又は両端が簡易にバイオリン包皮カバー体２に連結されることになりバンド体５の脱着操作が容易となる効果がある。
【００８２】
また、バンド体５の一端又は両端はバイオリン包皮カバー体２の側面又は端部に取外し自在に連結したことにより、バンド体５を別体に構成し必要に応じて脱着操作できることになり、バンド体５の保管や装着動作を状況に応じて選択することができる効果がある。
【００８３】
更に、バンド体５のみを係止具１５ａ，１５ｂを介してバイオリン本体側板の凹部Ｇの開口角部Ｈに係合連結することで、簡単な構造で確実にバイオリンＡを支持することが可能となり、しかも、バイオリン本体Ｂの表板Ｆ１や裏板Ｆ２、横側板Ｅをカバーしない構造であるため中空共鳴胴からの発生音に干渉せず正しい音の発生に支障とならないという効果がある。
【００８４】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【００８５】
Ａ  バイオリン
Ｂ  バイオリン本体
Ｂ１  後端部
Ｂ２  左隅部
Ｂ３  後部側
Ｂ４  竿体
Ｃ  弦
Ｄ  あご当て部
Ｅ  横側板
Ｅ１  後端部周側板
Ｆ１  表板
Ｆ２  裏板
Ｆ３  後部側裏板
Ｇ  凹部
Ｈ  開口角部
Ｉ  弓
Ｊ  あご
Ｋ  首
Ｍ  奏者
Ｎ  左手指
Ｌ  押さえ右手
ＳＬ  左肩
１  バイオリン支持カバー体構造
２  バイオリン包皮カバー体
３  係止手段
４  半袋体
４ａ  横側面
５  バンド体
５ａ  バンド体の両端
５ｂ  バンド体の両端
１１  係止具
１２ａ，１２ｂ  両端部
１４  帯状体
１５ａ  係止具
１５ｂ  係止具
１８  帯状体
【要約】      （修正有）【課題】正しい高度な演奏を可能にするバイオリン支持カバー体構造を提供する。【解決手段】バイオリン本体Ｂの後部側をカバーリングするバイオリン包皮カバー体２と、カバー体をバイオリン本体Ｂに取付けるための係止手段３と、バイオリン本体の横側板又はバイオリン包皮カバー体の横側面４ａに一端又は両端を固定しながら奏者の首後面を囲繞して奏者のあごと左肩間にバイオリン本体を保持するバンド体５とより構成される。【選択図】図７【図１】
0005816887.tif 000002
【図２】
0005816887.tif 000003
【図３】
0005816887.tif 000004
【図４】
0005816887.tif 000005
【図５】
0005816887.tif 000006
【図６】
0005816887.tif 000007
【図７】
0005816887.tif 000008